(57)【要約】      （修正有）【課題】着脱を容易に行なうことができると共に、膝部分から足先に至る部分の保温効果が高い防寒具を提供する。【解決手段】防寒具１は、着用者の足首から先の全体を覆うソール部１１及びアッパー部１２と、着用者の足首から膝又は膝下に至る領域までを覆い自立性を有する筒状部１３と、が一体形成された本体１０と、本体１０の内面に被着され、保温機能を有する保温部材２０と、を備えている。そして、筒状部１３の後方には、着用者の足部の本体への挿入、離脱を可能にする縦スリットが形成されていることを特徴とする。【選択図】図１
0003217656.tif 000002
【実用新案登録請求の範囲】
【請求項１】
着用者の足首から先の全体を覆うソール部及びアッパー部と、着用者の足首から膝又は膝下に至る領域までを覆い自立性を有する筒状部と、が一体形成された本体と、
前記本体の内面に被着され、保温機能を有する保温部材と、
を備え、
前記筒状部の後方には、着用者の足部の本体への挿入、離脱を可能にする縦スリットが形成されていることを特徴とする防寒具。
【請求項２】
前記縦スリットの下端は、略三角形状に切り欠かれると共に、ソール部に沿ってつま先側に向けて切込みが形成されていることを特徴とする請求項１に記載の防寒具。
【請求項３】
前記保温部材は、前記筒状部の内面、及び、アッパー部の内面を覆うように被着される繊維素材であり、
前記筒状部の上端開口、及び、縦スリットの縁部に対して、ループ状に折り返して被着されていることを特徴とする請求項１又は２に記載の防寒具。
【請求項４】
前記保温部材は、前記筒状部の内面に対して襞を有するように被着されていることを特徴とする請求項３に記載の防寒具。
【請求項５】
前記ソール部及びアッパー部は、着用者が靴を履いた状態で挿入可能に構成されていることを特徴とする請求項１から４のいずれか１項に記載の防寒具。
【請求項６】
前記ソール部の裏面には、ソール部の縁部から外方に突出する突出部が設けられていることを特徴とする請求項１から５のいずれか１項に記載の防寒具。
【考案の詳細な説明】
【技術分野】
【０００１】
本考案は、オフィス等で使用される防寒具に関する。
【背景技術】
【０００２】
オフィス内において、座って仕事をする従業者にとって、足部が冷えるという問題がある。特に、冬場或いは冷房が効いたオフィス環境では、冷え症のある人にとっては、深刻な問題となる。このため、膝掛を使用することもあるが、これは腿から膝下領域を覆うだけであり、表面側を保温するだけであるため、十分な防寒対策になり得ない。そこで、特許文献１には、足の甲部から膝上方に至る領域を、足の後方から前方に向けて斜め巻きして全体を覆うようにした防寒用の足カバーが開示されている。
【先行技術文献】
【特許文献】
【０００３】
【特許文献１】特開２０００−１７８８１１号
【考案の概要】
【考案が解決しようとする課題】
【０００４】
上記したように、膝下、足首、甲部を覆う足カバーによれば、単に膝掛を使用する場合と比べて防寒の面では十分であるが、以下の問題がある。
【０００５】
上記公報に開示されている足カバーは、足の後方から前方に向けて斜め巻きし、伸縮可能な保持バンドで足に密着させて面ファスナのような固定具で固定するため、着脱操作を容易に行なうことができない。特に、着座、離席が多い従業者にとっては、そのような着脱操作が煩わしく、容易に使用することができない。また、足カバーは、膝の上から足首領域の全体を覆い、かつ、足の甲部を覆うように構成されており、足裏部分やつま先部分は、防寒状態になっておらず、冷え対策としては十分でない。特に、冷え症のケースでは、足先部分が冷えることから、十分な防寒機能が得られない。
【０００６】
本考案は、上記した問題に着目してなされたものであり、着脱を容易に行なうことができると共に、膝（膝下）から足先に至る部分の保温効果が高い防寒具を提供することを目的とする。
【課題を解決するための手段】
【０００７】
上記した目的を達成するために、本考案に係る防寒具は、着用者の足首から先の全体を覆うソール部及びアッパー部と、着用者の足首から膝又は膝下に至る領域までを覆い自立性を有する筒状部と、が一体形成された本体と、前記本体の内面に被着され、保温機能を有する保温部材と、を備え、前記筒状部の後方には、着用者の足部の本体への挿入、離脱を可能にする縦スリットが形成されていることを特徴とする。
【０００８】
上記した構成では、本体が、着用者の膝領域から足首領域に至る部分を覆うと共に、足首から先の全体部分も覆うため、膝から下の足部全体の保温効果が良くなる。また、本体の筒状部の後方に、縦スリットが形成されているため、着用者は、このスリット部分を介して足部を本体内に挿入することができると共に、スリット部分から容易に足部を離脱させることが可能となる。すなわち、上記した防寒具は、保温効果が高く、着脱操作を容易に行なうことが可能となる。
【考案の効果】
【０００９】
本考案によれば、着脱を容易に行なうことができると共に、膝（膝下）部分から足先に至る部分の保温効果が高い防寒具が得られる。
【図面の簡単な説明】
【００１０】
【図１】本考案に係る防寒具の一例を示す斜視図。
【図２】保温部材を外した状態の防寒具を示しており、（ａ）は後方側から見た斜視図、（ｂ）は縦スリットを開いた状態を示しており下方側から見た斜視図、（ｃ）は縦スリットを開いた状態を示しており上方側から見た斜視図。
【図３】図１のIII-III線に沿った断面図。
【図４】縦スリットを開いた状態の防寒具を示す図。
【図５】装着者が足を挿入した状態の防寒具を示す側面図。
【考案を実施するための形態】
【００１１】
以下、本考案に係る防寒具の一実施形態について、図１から図４を参照して具体的に説明する。なお、これらの図において、図１は斜視図、図２は保温部材を外した状態の防寒具を示しており、（ａ）は後方側から見た斜視図、（ｂ）は縦スリットを開いた状態を示しており下方側から見た斜視図、（ｃ）は縦スリットを開いた状態を示しており上方側から見た斜視図、図３は図１のIII-III線に沿った断面図、そして、図４は縦スリットを開いた状態を示す図である。
また、本考案の防寒具は、両足を保温するように一対の構成となっているが、左右対称構造であるため、図面では左側のみを図示する。
【００１２】
本実施形態の防寒具１は、主に、オフィス等、従業者（着用者）が着座して各種の業務を行なう際に使用することを想定しており、デスクの下に設置して使用される。
防寒具１は、着座した着用者の足首から先の全体を覆うソール部１１及びアッパー部１２と、着用者の足首から膝領域までを覆い自立性を有する筒状部１３と、が一体形成された本体１０を備えている。
【００１３】
前記本体１０は、例えば、樹脂等によって一体形成することが可能であり、ソール部１１には、別途、靴底部材１１ａを止着することで安定性を有するように構成しても良い。また、筒状部１３は、設置した際に倒れないように、自立性を有するように構成されており、例えば、芯材を含んでいても良いし、硬質樹脂等、それ自身で自立性を有するような構成であっても良い。また、その断面形状については、足を囲繞する形状であれば良く、円形、楕円形など、特に限定されることはない。
【００１４】
前記筒状部１３の後方（後面）には、着用者の足部の本体１０への挿入、離脱を可能にする縦スリット１３ａが形成されている。この縦スリット１３ａは、筒状部１３の上端開口１３ｂから踵部（靴底部材１１ａの踵部）の上面に至る領域まで形成されており、筒状部を左右に開いてそのまま膝下部分を筒状部に挿入できるように構成されている。
【００１５】
この場合、縦スリット１３ａの下端は、略三角形状の切欠部１３ｃを有するように切り欠いておくことが好ましく、かつ、その切欠部１３ｃの下端からソール部に沿ってつま先側に向けて切込み１３ｄを形成しておくことが好ましい。
このように、縦スリット１３ａの下端に切欠部１３ｃを形成すると共に、切り込み１３ｄを形成することで、この部分が縦スリット１３ａを中心にして左右方向に開き易くなり（図２（ｂ）参照）、着用者は、本体１０内に容易に足を挿入することが可能となる。
【００１６】
前記本体１０の内面には、保温機能を有する保温部材２０が被着されている。保温部材２０は、着用者の膝（膝下であっても良い）から下の部分を保温する素材であれば良く、例えば、アクリル、ポリエステルなどの合成繊維、綿、ウール（ムートン）などの天然繊維などの繊維素材を絡み合わせて保温性を持たせたもの、或いは、発泡材等によって構成することが可能であり、このような保温部材２０は、本体に対して、例えば、接着剤や縫製することで被着されている。
【００１７】
本実施形態の保温部材２０は、保温性、吸湿性、弾力性に優れたムートン（ウール素材；繊維素材）によって構成されており、筒状部１３の内面（全面を覆うことが好ましい）、及び、アッパー部１２の内面（全面を覆うようにしても良いし、足先のみ、或いは、足首に近い領域のみを覆うようにしても良い）に対して被着されている。
【００１８】
前記保温部材２０は、平坦状にして本体１０の内面に被着しても良いが、縦スリット１３ａの縁部、及び、筒状部１３の上端開口１３ｂに対して、ループ状に折り返して被着することが好ましい（図３及び図４において、そのような折り返し部を符号２０ａ，２０ｂで示す）。
このように、本体１０の縁部となる領域に、折り返し部２０ａ，２０ｂを配設することで、本体１０内に足を挿入した際、縁領域から外気が内部に侵入し難くすることができ、保温効果を高めることが可能となる。
【００１９】
また、前記保温部材２０は、図４に示すように、筒状部１３の内面に対して、連続的に多数の襞２０ｃを有するように被着することが好ましい。このような襞２０ｃは、例えば、予め保温部材２０に、隣接して多数のループを縦方向に形成しておき、これを筒状部１３の内面に被着すれば良い。
このような保温部材２０の被着態様によれば、保温効果を高めることが可能となる。
【００２０】
本実施形態の防寒具１は、本体１０に対して、着用者が靴を脱いだ状態で足を挿入する構成であっても良いが、図５に示すように、靴５０を履いた状態のままで挿入できるように、前記ソール部１１及びアッパー部１２の大きさを形成することが好ましい。
上記したような防寒具１は、オフィス内で使用されることから、着用者は頻繁に、着座したり、離席することがある。このため、着用者が靴５０を履いたままその足を挿脱できるようにすることで、靴を脱ぐ必要が無く、利便性の向上が図れる。
【００２１】
また、前記ソール部１１の裏面には、ソール部の縁部から外方に突出する突出部３０を設けて置くことが好ましい（図１参照）。
このような突出部３０を設けて置くことで、足を本体１０から離脱させる際、他方の足の本体で突出部３０を踏むことで、足を容易に離脱させることが可能となる。
【００２２】
以上、本考案の実施形態について説明したが、本考案は、上記した実施形態に限定されることはなく、種々変更することが可能である。
例えば、本実施形態では、筒状部１３は、膝領域まで覆うように構成したが、足首から膝下領域（長さは任意）を覆うような構成であっても良い。また、本体１０のサイズや、保温部材２０の装着の仕方については、適宜変形することが可能である。
【符号の説明】
【００２３】
１  防寒具
１０  本体
１１  ソール部
１２  アッパー部
１３  筒状部
１３ａ  縦スリット
２０  保温部材
【図１】
0003217656.tif 000003
【図２】
0003217656.tif 000004
【図３】
0003217656.tif 000005
【図４】
0003217656.tif 000006
【図５】
0003217656.tif 000007